(57)【特許請求の範囲】
【請求項１】
動画像情報を入力する入力手段と、
前記動画像情報を一時記憶するメモリに対して前記入力手段により入力された動画像情報の書き込み及び読み出しを行うメモリ制御手段と、
ディスク状記録媒体を複数の記録領域に分割し、前記複数の記録領域がそれぞれ同じ記憶容量となるよう、前記複数の記録領域毎に異なる回転速度で前記ディスク状記録媒体を回転させて前記メモリより読み出された動画像情報を記録する記録手段と、
前記ディスク状記録媒体の一つの記録領域に対応した情報量の動画像情報を単位として、記録開始の指示から記録停止の指示までの間に前記入力手段により入力されて前記メモリに記憶された一連の動画像情報を前記メモリから読み出して、前記ディスク状記録媒体の一つの領域に記録するよう前記メモリ制御手段及び前記記録手段を制御する制御手段とを備えたことを特徴とする記録装置。
【請求項２】
前記記録手段は、前記ディスク状記録媒体の最内周の記録領域に対して、前記ディスク状記録媒体に記録されている動画像情報の記録内容に関する情報を記録することを特徴とする請求項１に記載の記録装置。
【請求項３】
前記入力手段により入力された動画像情報を圧縮する圧縮手段を備え、前記メモリ制御手段は前記圧縮手段により圧縮された動画像情報を前記メモリに書き込むことを特徴とする請求項１に記載の記録装置。
【請求項４】
前記入力手段は光電変換手段を有し、前記光電変換手段により光学像を動画像情報に変換して出力することを特徴とする請求項１に記載の記録装置。
【発明の詳細な説明】
【０００１】
【産業上の利用分野】
本発明は、動画や静止画等の画像情報を記録する記録装置に関するものである。
【０００２】
【従来の技術】
近年、高精細な画像を速く記録再生できる装置の開発が盛んである。また、一方で、高精細な画像を素早くコンピュータ内に取り込むことが望まれている。従来の動画や静止画等の画像情報を記録する装置としては、ビデオテープレコーダ、スチルビデオカメラ等がある。
【０００３】
上記ビデオテープレコーダは、２次元エリアセンサ等で得た動画情報をテープ媒体に記録する構成になっている。また、上記スチルビデオカメラは、同じく２次元エリアセンサ等で得た静止画情報を小型のフロッピーディスクやカード型のＩＣメモリ等に記録する構成になっている。
【０００４】
また、大容量で高速アクセスで携帯可能なコンピュータメモリとしては、光メモリが知られており、その中でも情報の書き換え可能な光磁気ディスクメモリが有望視されている。
更に、記録領域をいくつかの領域に分け、それぞれの領域で記録再生クロックの周波数を変えるか、又はディスクの回転速度を変えるかで高密度を図ったＺＣＡＶタイプの光磁気ディスクメモリがある。
【０００５】
【発明が解決しようとする課題】
しかしながら、上記ビデオテープレコーダにおいては、長時間の動画を連続に記録再生するには向いているが、その中から所望の動画を見出しコンピュータに取り込むにはテープ媒体のアクセス性が悪いという欠点があった。また、記録したい動画情報がいつ得られるか分からない場合、常に動画情報を記録し続ける必要があり、記録容量を必要以上使用してしまうという欠点があった。
【０００６】
また、上記スチルビデオにおいては、記録媒体がフロッピーディスクの場合、容量が少ないという欠点があり、記録媒体がＩＣメモリの場合、容量が少ない上、高価であるという欠点があった。また、記録したい静止画像がいつ得られるか分からない場合、シャッターチャンスを逃してしまうという欠点があった。
また、従来は上記ＺＣＡＶタイプの光磁気ディスクメモリを画像情報の記録担体として用いられていなかった。
【０００７】
本発明は上述の問題点にかんがみ、大量の画像データを記録することができるとともに、アクセス性に優れた記録装置を提供できるようにすることを目的とする。
【０００８】
【課題を解決するための手段】
本発明の記録装置は、動画像情報を入力する入力手段と、前記動画像情報を一時記憶するメモリに対して前記入力手段により入力された動画像情報の書き込み及び読み出しを行うメモリ制御手段と、ディスク状記録媒体を複数の記録領域に分割し、前記複数の記録領域がそれぞれ同じ記憶容量となるよう、前記複数の記録領域毎に異なる回転速度で前記ディスク状記録媒体を回転させて前記メモリより読み出された動画像情報を記録する記録手段と、前記ディスク状記録媒体の一つの記録領域に対応した情報量の動画像情報を単位として、記録開始の指示から記録停止の指示までの間に前記入力手段により入力されて前記メモリに記憶された一連の動画像情報を前記メモリから読み出して、前記ディスク状記録媒体の一つの領域に記録するよう前記メモリ制御手段及び前記記録手段を制御する制御手段とを備えたことを特徴としている。
【０００９】
また、本発明の他の特徴とするところは、前記記録手段は、前記ディスク状記録媒体の最内周の記録領域に対して、前記ディスク状記録媒体に記録されている動画像情報の記録内容に関する情報を記録することを特徴としている。
【００１０】
また、本発明のその他の特徴とするところは、前記入力手段により入力された動画像情報を圧縮する圧縮手段を備え、前記メモリ制御手段は前記圧縮手段により圧縮された動画像情報を前記メモリに書き込むことを特徴としている。
【００１１】
また、本発明のその他の特徴とするところは、前記入力手段は光電変換手段を有し、前記光電変換手段により光学像を動画像情報に変換して出力することを特徴としている。
【００１２】
【作用】
本発明においては、動画像情報を記録するディスク状記録媒体を複数の記録領域に分割し、そのうちの１つの領域に対応した情報量の動画像情報を単位として、記録開始の指示から記録停止の指示までの間に入力手段により入力されてメモリに記憶された一連の動画像情報を前記メモリから読み出して記録するようにしたので、アクセス性を向上させることが可能となる。
【００１３】
また、本発明の他の特徴によれば、ディスク状記録媒体を複数の記録領域に分割し、前記複数の記録領域がそれぞれ同じ記憶容量となるよう、前記複数の記録領域毎に異なる回転速度で前記ディスク状記録媒体を回転させて前記メモリより読み出された動画像情報を記録するようにしたので、アクセス性を向上させるとともに、記録密度を向上させることが可能となる。
【００１６】
【実施例】
以下、本発明の記録装置の一実施例を図面を参照して説明する。
図１は、本発明の記録装置に用いられる記録担体を説明するための記録領域説明図である。図１において、１は記録担体としての書き換え可能な光ディスクメモリである。ここで説明する光ディスクメモリは、３．５インチサイズで、約３５０ＭＢｙｔｅの容量を持つ光磁気ディスクとして説明する。
【００１７】
この光磁気ディスク１の記録領域は第１ゾーン２、第２ゾーン３、第３ゾーン４・・・に示される複数の領域に分けられている。本実施例においては、３０ゾーンに分けられているものとして説明とする。各ゾーンは、１０ＭＢｙｔｅとほぼ同じ容量を持つものとする。この一つの領域を画像情報、及びそれに対する音声情報の記録単位とする。
【００１８】
また、５は記録領域の状態や記録内容を記録したり、また記録、再生時に画像記録／再生装置に必要な情報を記録している管理ゾーンである。ここには、読み出し専用情報を記録しておく領域も含まれる。
【００１９】
図２は、この画像記録担体としての光磁気ディスク１を用いて、動画又は静止画の画像情報を取り込み記録や再生を行う画像記録／再生装置の一例を示すブロック図である。
【００２０】
図２において、６は画像記録／再生装置の本体を示している。また、７はその内部で各種情報の送受を行うバスである。８は、この画像記録／再生装置６の全体的な制御を行うＣＰＵである。９は、ＣＰＵ８が制御を行うためのプログラムや各種データを格納するＲＯＭおよびＲＡＭよりなる内部メモリである。１０は画像入力コントローラであり、画像入力部１１から取り込まれた画像をデジタル信号に変換するためのものであり、画像入力コントローラ１０により動画又は静止画の画像情報が取り込まれる。
【００２１】
また、画像入力部１１は結像系１２と、高速の電子シャッター機能１３とを備えた光電変換部等より構成されている。１４は画像情報の圧縮回路及び伸張回路である。画像入力コントローラ１０や外部入力装置２７から得られる画像情報は圧縮された後、半導体メモリ２３や光磁気メモリ部２４に装着された光磁気ディスクメモリ１等に記録される。
【００２２】
本実施例においては、各記録ゾーンで記録、再生のクロック周波数を変えるか又は光磁気ディスクメモリ１の回転数を変えることで、アクセス性を変えることなく記録密度を上げるようにしている。
【００２３】
光磁気ディスクメモリ１等に記録されている画像情報は、伸張された後にモニタ出力回路２５を経て外部モニタ用ＴＶ３４等に表示されたり、２６のビデオプリンタ出力回路を経て３５のビデオプリンタに出力されたりする。
【００２４】
１５はマイクロフォン１６から音声を取り込み、デジタル信号に変換する音声入出力コントローラである。また、１７は音声情報の圧縮回路および伸張回路である。音声入力コントローラ１５や外部音声入力装置２８から得られる音声情報は画像情報と同様に圧縮された後、画像情報との対応をとりながら半導体メモリ２３や光磁気ディスクメモリ１等に記録される。また、光磁気ディスクメモリ１等に記録されている音声情報は、伸張された後にモニタ出力回路２５を経てモニタ用ＴＶ３４に画像情報とともに出力される。
【００２５】
また、画像記録／再生装置６には、パーソナルコンピュータ等の外部制御装置２９により制御を可能とする外部制御装置インターフェース１８や、フロッピーディスクメモリ装置と情報の送受を可能とする外部メモリインターフェース１９を有している。
【００２６】
外部制御装置２９は、上述のようにコンピュータ等であり、画像記録／再生装置６を制御して外部画像入力装置２７と外部音声入力装置２８より送られる画像音声情報を記録する動作を実行させることができるようになされている。また、光磁気ディスクメモリ１に記録されている画像および音声情報を加工することができる。更に、画像記録／再生装置を外部制御装置２９の外部メモリとしても使用できる。
【００２７】
外部メモリ３０は、上述のようにフロッピーディスクメモリ、ＩＣメモリカード、他の光ディスクメモリ等によって構成されているものであり、画像記録／再生装置６と画像および音声などの情報を送受できるようになされている。本実施例においては、画像記録／再生装置６を単独で使用者が操作するための構成として、各種命令を入力するキーや画像および音声の情報の取り込みのタイミングを知らせる複数のスイッチ等が設けられている。
【００２８】
また、入力装置２０と、画像記録／再生装置６に対して行った命令の内容や動作状態などを表示するために、出力装置２１が設けられている。また、ノイズに強い光通信やスペクトラム拡散通信を利用してリモートコントローラ３１からの命令を受信したり、外部周辺機器３２に情報を送信することが可能な無線通信回路２２を備えている。
【００２９】
図３および図４は、以上のような画像記録／再生装置による画像情報の記録および再生の手順を説明するフローチャートである。なお、音声情報についても同様に行えるのでここでは説明を省く。
【００３０】
図３において、ステップＳ１にて動作が開始されると、まず、ステップＳ２において画像記録／再生装置６の電源を入れ、光磁気ディスクメモリ１を装着して操作を行う。次に、情報の記録を行うのか、再生を行うのかの操作内容の入力を入力装置２０を介して行う。本実施例の場合、入力内容が出力装置２１に表示されるようになされていて、操作者が容易に確認することができる（以後同様に入力内容および動作内容が表示装置２１に表示され確認される。）。
【００３１】
次に、ステップＳ３において、入力した操作内容が記録なのか再生なのかを判断する。このステップＳ３における判断の結果、記録の場合はステップＳ４に進み、再生の場合は図４のステップＳ１６に進む。図３のステップＳ４以降は、記録の操作内容を説明するフローチャートである。
【００３２】
すなわち、まず、ステップＳ４において記録条件の設定を手動で行うか自動で行うかを入力する。そして、その後にステップＳ５に移行し、設定条件が手動なのか自動なのかを判断し、手動の場合はステップＳ６に進み、自動の場合はステップＳ１０に進む。
【００３３】
ステップＳ６では、記録する画像を動画にするのか静止画にするのかを入力する。そして、動画の場合はステップＳ８に進んで最長記録時間、画素数、圧縮比等を設定する。ただし、記録単位が決められているので、これらの設定値には制限がある。したがって、記録時間を優先するのか、画素数や圧縮比による画質を優先するのかを決める必要がある。
【００３４】
また、画像の取り込みを、スイッチの押された時間を基準としてどのタイミングで取り込むかを決定する。たとえば、最長記録時間をＬ分とし、第１のスイッチにより画像を取り始め、第２のスイッチが押された時間を基準に、前の最長記録時間Ｌ分を取り込むか、又は後の最長記録時間Ｌ分を取り込むか、又は前ｘ（Ｌ＞ｘ）分、後（Ｌ−ｘ）分取り込むなどの設定を行う。
【００３５】
つまり、被写体のシャッターチャンスが一連の動きの中の最後の方に生じるのか、始めに生じるのか、中ほどに生じるのかに従って第２のスイッチのタイミングをそのシャッターチャンスと合わせることで、所望の画像を含む一連の動画を、無駄なく取り込むことが可能となる。設定が終わるとステップＳ１１に進む。一方、静止画の場合もステップＳ９で同様な設定を行う。
【００３６】
この場合、連写コマ数、連写間隔、画素数、圧縮比等を設定する。同じく記録単位が決められているのでこれらの設定値には制限があり、連写コマ数を優先するのか、画素数、圧縮比による画質を優先するのかを決める必要がある。また、どのタイミングで取り込むのかを決定する。
【００３７】
たとえば、最大連写コマ数をＭ枚とし、第１のスイッチにより、画像を取り始め、第２のスイッチが押された時間を基準に前のＭ枚を取り込むか、又は後のＭ枚を取り込むか、又は前ｙ（ｙ＜Ｍ）枚、後（Ｍ−ｙ）枚取り込むなどの設定を行う。上述したように、これによりシャッターチャンスを逃がさず静止画を取り込むことが可能となる。
【００３８】
一方、自動設定を選択した場合、ステップＳ１０で画像記録／再生装置６が光磁気ディスクメモリ１に記録されている記録条件の情報を読み出しに行き、ステップＳ６〜ステップＳ９で行ったような設定を自動的に行いステップＳ１１に進む。これらの情報は、管理ゾーン５等に記録されており、使用者が前に設定した条件を記録していてもよいし、光磁気ディスクメモリ１を製造するものがあらかじめ記録しておいても良い。
【００３９】
後者の場合、これらの情報を読み出し専用の情報として記録しておいても良い。すなわち、使用者が画像記録／再生装置６を扱う初心者の場合、ステップＳ６〜ステップＳ９等で行う記録条件の選択は煩雑なものである。この場合、サンプル画集やサンプルビデオとともに、それらの画像を取ることができる記録条件をあらかじめ管理ゾーン５に記録した光磁気ディスクを購入することで、使用者は自分が所望する画像を簡単に取り込むことが可能となる。
【００４０】
記録条件の設定が終わると、ステップＳ１１で第１のスイッチが押されるのを待つ。そして、第１のスイッチが押されると、画像入力コントローラ１０が記録条件に従って、画像入力部から画像を取り始める。取り込まれた画像情報は、画像情報圧縮回路１４により圧縮された後、一次画像記録担体としての半導体メモリ２３に記録していく。
【００４１】
この間、光磁気ディスクメモリ１を止めておくことにより低電力化が計れる。そして、ステップＳ１３で第２のスイッチが押されるのを待つ。第２のスイッチが押されると、設定している取り込みのタイミングに従って記録すべき画像情報が確定され、半導体メモリ２３から２次画像記録担体としての光磁気ディスクメモリ１の記録領域に画像情報を転送し、記録する。
【００４２】
また、この時の記録条件も画像と対応させて記録しておく。この条件は、再生時に利用するのであるが、管理ゾーン５に記録しても良いし、各画像情報と同じ記録領域に記録しても良い。以上のように記録を行うことで、所望の画像を的確に取り込み、無駄な部分を省いた画像情報を記録することができる。
【００４３】
第１のスイッチおよび第２のスイッチとしては、独立に押しボタンを設けても良いし、第１のスイッチを記録条件が設定されると同時に自動的に入るとしても良い。また、第２のスイッチとしての押しボタンを半押しした時、又は触れた時に第１のスイッチが入り、押しボタンを押しきった時に第２のスイッチが入るとしても良い。
【００４４】
本実施例においては、一次画像記録担体の容量は記録単位以上とする。また、第１のスイッチが押された後で第２のスイッチが押される前に画像情報の容量が記録単位を越えた場合、より古い画像情報を消去し、新たに取り込まれた画像情報を記録しておくようにする。
【００４５】
逆に、確定した画像情報が記録単位に満たない場合、その情報が記録された記録ゾーンの残りの部分は、使用しないままにしておくことにする。記録ゾーンの選択は、自動的に順次未記録ゾーンに移って記録するようにしても良いし、既記録ゾーンを選択し、そこに記録されている古い情報を消去して新しい情報を記録するようにしても良い。
【００４６】
また、ここまで一次画像記録担体として、半導体メモリ２３を使用するようにしたが、光磁気ディスクメモリ１を、一次および二次画像記録担体を兼ねるものとして構成しても良い。このようにした場合、半導体メモリを省くことができるので装置を小型化できる。なお、画像の始まりおよび終わりの情報などは、管理ゾーン５に記録する。
【００４７】
画像情報が光磁気ディスクメモリ１に記録されるとステップＳ１５に進む。ステップＳ１５では、設定を変えるかどうかを選択する。続けて記録する場合はステップＳ１１に進む記録を繰り返す。その他の操作を行うか設定を変える場合は、ステップＳ２の操作内容の入力に戻る。もちろん、ステップＳ１５のような割り込みは、どのステップからも行えるようにすると操作上便利である。
【００４８】
図４は、再生の操作内容を説明するためのフローチャートである。まず、ステップＳ１６において再生する画像を決める。そして、再生する画像が決まると、ステップＳ１７に進み、画像記録／再生装置６は、光磁気ディスクメモリ１上の画像情報とそれを記録した際の記録条件を読み出す。画像情報は、画像情報伸張回路１４により伸張された後、モニタ出力回路２５に送られ、記録条件に従ってモニタ用ＴＶ３４に出力される。
【００４９】
動画は通常再生の他、早送り、巻き戻し等の特殊再生を行うことができるようになされている。また、静止画は１コマずつのコマ送り再生の他、連続コマ送り再生が入力装置２０のキーを用いて行うことができるようになされている。
【００５０】
次に、ステップＳ１８に移行して画像処理を行うかどうかを入力した後でステップＳ１９に進み、ここで画像処理を行うかどうかを判断する。そして、画像処理を行う場合、ステップＳ２０に進む。
【００５１】
ステップＳ２０においては、製造者があらかじめ管理ゾーンに記録しておいた情報を用いて画像再生を行う。次に、ステップＳ２１において再生画像に特殊フィルターをかけたり、拡大縮小、又はトリミングなどの加工編集を行う。
【００５２】
この場合も、記録時と同様に自動再生が行えるようにしておけば、使用者が初心者であっても所望の画像が再生できる。また、画像処理が終わるか、画像処理装置を行わない場合はステップＳ２２に進む。ステップＳ２２では、設定を変えるかどうかを選択する。そして、続けて記録する場合はステップＳ１６に進み、再生を繰り返す。また、他の操作を行うか設定を変える場合は、ステップＳ２の操作内容の入力に戻る。
【００５３】
ここまで、光磁気ディスクメモリ１に記録や再生を自動的に行える情報を記録しておくことについて説明してきたが、更に使用者の助けをするための情報を光磁気ディスクメモリ１に記録しておき、使用者が助けを求めた時、又は使用者に注意を与える際、その情報を読み出し、不図示のスピーカーに音声として、又は出力装置２１に文字として使用者に知らせることにより、より確実に所望の画像を取り込み、記録再生できる。
【００５４】
【発明の効果】
本発明は上述したように、動画像情報を記録するディスク状記録媒体を複数の記録領域に分割し、そのうちの１つの領域に対応した情報量の動画像情報を単位として、記録開始の指示から記録停止の指示までの間に入力手段により入力されてメモリに記憶された一連の動画像情報を前記メモリから読み出して記録するようにしたので、アクセス性を向上させることができる。
【００５５】
また、本発明の他の特徴によれば、ディスク状記録媒体を複数の記録領域に分割し、前記複数の記録領域がそれぞれ同じ記憶容量となるよう、前記複数の記録領域毎に異なる回転速度で前記ディスク状記録媒体を回転させて前記メモリより読み出された動画像情報を記録するようにしたので、アクセス性を向上させるとともに、記録密度を向上させることが可能となり、高精細な画像をコンピュータに素早く取り込むことを可能にできる。
【図面の簡単な説明】
【図１】本発明の画像記録担体を説明するための記録領域説明図である。
【図２】本発明の画像記録／再生装置を説明するためのブロック図である。
【図３】本発明の画像記録／再生装置による画像情報の記録および再生の手順を説明するフローチャートである。
【図４】本発明の画像記録／再生装置による画像情報の記録および再生の手順を説明するフローチャートである。
【符号の説明】
１  書き換え可能な光ディスクメモリ
２、３、４  画像記録担体の複数の記録領域
５  管理ゾーン
６  画像記録／再生装置の本体
７  内部バス
８  ＣＰＵ
９  内部メモリ
１０  画像入力コントローラ
１１  画像入力部
１２  結像系
１３  高速の電子シャッター機能
１４  圧縮／伸張回路
２０  入力装置
２１  出力装置
２２  無線通信回路
２３  半導体メモリ
２４  光磁気メモリ
２５  モニタ出力回路
２６  ビデオプリンタ出力
２７  外部画像入力装置
２８  外部音声入力装置
２９  外部制御装置
３０  外部メモリ
３１  リモートコントローラ
３２  外部周辺機器
【図１】
0003610084.tif 000002
【図２】
0003610084.tif 000003
【図３】
0003610084.tif 000004
【図４】
0003610084.tif 000005